(57)【特許請求の範囲】
【請求項１】
家具の一部に設けられた固定部（８）に連結され、ガイド（４）内において後方位置と
前方位置との間を第一弾性手段によって往復動可能なスライダー（３）を支持するための
支持体（２）を備え、
前記スライダー（３）は、引き出しまたは家具の一部の可動部に連結された取り出し可
能部（７）に固定された引き出し要素（６）によって作動される、引き出しまたは家具の
一部の可動部に用いられる自己閉鎖装置（１）であって、
前記ガイド（４）は、前記スライダー（３）の前記後方位置に相当する領域に、前記ス
ライダー（３）を移動させるための第一移動手段を有し、
前記第一移動手段は、前記スライダー（３）が前記引き出し要素（６）に設けられた引
き出し手段と係合している間、スライダー（３）をガイドするための第一ガイド手段に係
合するように適応されており、
前記ガイド（４）の前記第一移動手段において前記第一ガイド手段が前記第一移動手段
と係合する前に、前記スライダー（３）に直接的または間接的に対向して当接するストッ
プ要素（９）をさらに備え、
前記第一移動手段および前記スライダー（３）の前記第一ガイド手段は、前記ストップ
要素（９）を圧縮するように前記スライダー（３）に力が負荷されたときに、前記スライ
ダー（３）と前記引き出し手段との係合を解除することを特徴とする、自己閉鎖装置（１
）。
【請求項２】
前記ストップ要素（９）は、機械的に構成され、前記支持体（２）に設けられた段差（
３０）を有し、
前記段差（３０）は、前記スライダー（３）の一方の壁面（３１）と対向して配置され
ることを特徴とする、請求項１に記載の自己閉鎖装置（１）。
【請求項３】
前記スライダー（３）は、前記壁面（３１）に対して傾斜する傾斜面（３２）を有し、
前記引き出し要素（６）に設けられた前記引き出し手段は、前記傾斜面（３２）に対し
て配置されることを特徴とする、請求項２に記載の自己閉鎖装置（１）。
【請求項４】
前記ストップ要素（９）は、弾性的に柔軟性を有することを特徴とする、請求項１〜３
のいずれかに記載の自己閉鎖装置（１）。
【請求項５】
前記引き出し手段は、第一ピン（２８）および第二ピン（２９）を含み、
前記第一ピン（２８）および第二ピン（２９）は、互いに離隔し、前記スライダー（３）と代替的に係合するように適応されていることを特徴とする、請求項１〜４のいずれかに記載の自己閉鎖装置（１）。
【請求項６】
前記第一ピン（２８）および第二ピン（２９）は、それぞれ異なる長さを有することを
特徴とする、請求項５に記載の自己閉鎖装置（１）。
【請求項７】
前記ガイド（４）は、溝から構成され、
前記第一移動手段は、前記ガイド（４）に設けられた中間側方キャビティー（１０）お
よび後方カーブ（１１）を含むことを特徴とする、請求項１〜６のいずれかに記載の自己
閉鎖装置（１）。
【請求項８】
前記ガイド（４）は、延在方向軸に対して前記第一移動手段と同じ側に配置された前方
カーブ（１４）をさらに含むことを特徴とする、請求項７に記載の自己閉鎖装置（１）。
【請求項９】
前記第一ガイド手段は、第三ピン（１２）および第四ピン（１３）を含み、
前記第三ピン（１２）および第四ピン（１３）は、前記ガイド（４）に設けられた前記
中間側方キャビティー（１０）および前記後方カーブ（１１）に係合することを特徴とす
る、請求項７または８に記載の自己閉鎖装置（１）。
【請求項１０】
前記第一弾性手段は、第一バネ（５）を含むことを特徴とする、請求項１〜９のいずれ
かに記載の自己閉鎖装置（１）。
【請求項１１】
前記弾性的に柔軟性を有するストップ要素（９）は、第二バネ（１６）を有し、
前記第一バネ（５）は、前記ストップ要素（９）と当接している前記スライダー（３）
に対して、前記第二バネ（１６）よりも弱い弾性力を負荷することを特徴とする、請求項
１０に記載の自己閉鎖装置（１）。
【請求項１２】
少なくとも前記スライダー（３）と、前記引き出し要素（６）、前記第一弾性手段に含まれる少なくとも第一バネ（５）、前記第一移動手段に含まれる前記中間側方キャビティー（１０）、および前記後方カーブ（１１）との間の相互作用によって、前記引き出しを、閉鎖位置の近接領域において、前記引き出し手段に含まれる第一ピン（２８）と第二ピン（２９）との間の距離に実質的に等しい小突出部分だけ自由に摺動させることを特徴とする、請求項７に記載の自己閉鎖装置（１）。
【請求項１３】
前記スライダー（３）は、歯部（１７）を有し、
前記引き出し要素（６）に設けられた前記第一ピン（２８）および第二ピン（２９）が
、前記歯部（１７）に代替的に係合することを特徴とする、請求項５に記載の自己閉鎖装
置（１）。
【請求項１４】
前記スライダー（３）は、突出部（１８）を有し、当該突出部（１８）によって前記第
二ピン（２９）と係合し、
前記突出部（１８）は、カム形状の側面（１９）を含むことを特徴とする、請求項５に
記載の自己閉鎖装置（１）。
【請求項１５】
前記引き出しを小突出部分に沿って前記第一バネ（５）よりも弱い力によって移動させ
るのに適したトランスレーション手段をさらに備えることを特徴とする、請求項１０に記
載の自己閉鎖装置（１）。
【請求項１６】
前記トランスレーション手段は、前記取り出し可能部（７）に設けられたストップ要素
（２１）と相互作用するように適応されたイジェクター（２０）を有することを特徴とす
る、請求項１５に記載の自己閉鎖装置（１）。
【請求項１７】
前記トランスレーション手段は、少なくとも一つの傾斜ガイドを有し、前記傾斜ガイド
に沿って重力によりスライドすることを特徴とする、請求項１５に記載の自己閉鎖装置（
１）。
【請求項１８】
前記トランスレーション手段は、反発力を発生させるように適応された磁石を含むこと
を特徴とする、請求項１５に記載の自己閉鎖装置（１）。
【請求項１９】
請求項１０に記載の自己閉鎖装置（１）の動作方法であって、
前記スライダー（３）は、歯部（１７）を有し、
前記スライダー（３）が、第一の静止位置に配置され、前記引き出し要素（６）に設けられた第一ピン（２８）を、前記歯部（１７）を介して保持する第一のステップと、
前記スライダー（３）が、前記引き出し要素（６）に設けられた前記第一ピン（２８）
に外部から加えられる力によって、第二の位置に後退し、
前記第一ガイド手段は第三ピン（１２）および第四ピン(１３)を含み、
第三ピン（１２）および第四ピン（１３）が、前記ガイド（４）に設けられた中間側方
キャビティー（１０）および後方カーブ（１１）に係合し、
前記第一ピン（２８）を前記歯部（１７）から解放し、前記引き出し要素（６）に設けられた第二ピン（２９）が前記スライダー（３）に設けられた突出部（１８）と係合するまで、前記引き出しを小突出部分に沿って自由に摺動させ、
前記突出部（１８）が、カム（１９）を介して、前記スライダー（３）を前記ガイド（
４）内に再度復帰させる第二のステップと、
前記スライダー（３）が、前記第三ピン（１２）が前記ガイド（４）に設けられた前方
カーブ（１４）と係合するまで、前記第一弾性手段に含まれる第一バネ（５）に逆らって前記ガイド（４）内において引っ張られ、第三の位置にまで移動し、
前記第一ピン（２８）が前記歯部（１７）から解放され、前記引き出しが移動自在とな
る第三のステップと、
前記引き出し要素（６）に設けられたより短い前記第二ピン（２９）が、前記スライダ
ー（３）を超えて移動する一方、前記第一ピン（２８）が、前記突出部（１８）と係合し
、
前記第三ピン（１２）が前記前方カーブ（１４）から解放され、
前記第一ピン（２８）が前記歯部（１７）と係合し、
前記スライダー（３）が、前記第一バネ（５）の作用によって前記第一の静止位置に復帰して、前記引き出しが閉鎖位置へと移動する第四のステップと、を備えることを特徴とする、自己閉鎖装置（１）の動作方法。
【発明の詳細な説明】
【技術分野】
【０００１】
本発明は、引き出しまたは家具の可動部材に用いられる自己閉鎖装置に関するものである。
【背景技術】
【０００２】
周知のように、例えば家具の一部材である引き出しのような、家具の一部の可動部材を、ほぼ自動的に開閉させるための装置が、市場において長く知られている。
【０００３】
例として、ラチェットと呼ばれる装置が、現在、扉や家具の一部材である引き出しの開扉のために用いられている。この装置は、軽い力によって開放されるスラスト要素を、実質的に有している。このスラスト要素が開放されると、弾性力の影響によって引き出しにスラスト力が与えられる。そして、特に、引き出しにハンドル部が設けられていない場合には、このスラスト力によって、使用者が引き出しを掴んで完全に開くことを可能とするように動きが制御される。
【０００４】
これとは逆に、自己閉鎖装置が、引き出しの閉鎖のために用いられている。この自己閉鎖装置は、通常、引き出しの固定ガイドに連結され、スライダーを支持する支持体を有する。スライダーは、支持体に設けられた溝内を移動可能となっている。
【０００５】
通常は、スライダーは、バネの動作によって対称的な溝内を移動し、引き出し要素によって作動される。この引き出し要素は、引き出しの取り出し可能ガイド部に一体的に設けられている。
【０００６】
引き出しの開放によって、自己閉鎖装置が作動される。自己閉鎖装置は、引き出しの閉鎖時において、引き出しの通過経路の最後の部分において、例えばピンによって引き出しをピックアップし、バネによって引き出しを完全に閉鎖した位置にまで戻す。
【０００７】
通常は、減速装置も、自己閉鎖装置と協働して作動する。減速装置は、同様の閉鎖用のバネの効果によって生じる閉鎖の衝撃を減衰させつつ、引き出しの閉鎖移動を吸収する。
【０００８】
上記の観点から、例えば引き出しの自動的な開扉システムと、自己閉鎖装置とを結合させることがどれほど困難であるか、容易に理解されるであろう。なぜならば、通常、ラチェットが行使する力と、自己閉鎖装置が行使する力とは、互いに相反する傾向があり、引き出しの開放または閉鎖を妨げることになるためである。
【０００９】
それ故に、時に非常に複雑なシステムが、設計されてきた。すなわち、このようなシステムは、この目的を達成するために、力を補うために電動モータによって移動する部品を用いて、部分的ではあるが、ほぼ自動的に引き出しの開閉を行うことを可能とするものである。
【００１０】
このような解決手段は、装置を高度に複雑化させることに加えて、長期間に亘って連続的な操作を行えない傾向があり、継続的なメインテナンスを必要とし、ある種の家具に関して適用を妨げるほどに高コストとなることから、効果的ではない。
【発明の概要】
【発明が解決しようとする課題】
【００１１】
それ故に、本発明の技術的な目的は、従来技術の技術的欠点を排除することができる、引き出しまたは家具の一部の可動部に用いられる自己閉鎖装置を提供することである。
【００１２】
この技術的課題の範囲において、本発明の目的は、開扉システムと結合可能であって、高信頼性且つ操作が非常に容易であり、この目的のために通常または特別のメインテナンスを要することなく長期間に亘って有効性を確証する、引き出しまたはこれに類する家具の一部材に用いられる自己閉鎖装置を提供することである。
【００１３】
本発明の他の目的は、専門知識を有さない通常の者によって困難なく取り付けすることができることにより、必要に際して使用者が取り換えや調整をすることを可能とし、市場での普及を促進するほどに低コストでもある、引き出しまたはこれに類する家具の一部材に用いられる自己閉鎖装置を提供することである。
【００１４】
また、重要な事項として、本発明の他の目的は、例えば引き出しの摺動ガイド上に設置されることにより可動となっているため、占有空間が適度であり、家具部材の美観を変化させることなく、いずれのタイプの家具部材に取り付け可能な、引き出しまたはこれに類する家具の一部材に用いられる自己閉鎖装置を提供することである。
【課題を解決するための手段】
【００１５】
本発明に係る技術的目標、およびこれらの目的、およびその他の目的は、請求項１による、引き出しや家具の一部の可動部に用いられる自己閉鎖装置を提供することによって達成される。
【００１６】
実質的に、スライダーを移動させるための第一移動手段は、ストップ要素と協働し、引き出し（またはそれに類する部材）の閉鎖位置にて、外部から力が加えられた後、引き出し要素からスライダーを解放させる。これとともに、引き出しが閉鎖装置の動作から解放され、開扉方向へ向けて移動することを許容する。
【００１７】
また、本発明のさらなる特徴が、本願従属請求項に規定されている。
【００１８】
本発明のさらなる特徴および有利な効果が、本発明に係る家具部材の引き出しに用いられる自己閉鎖装置の好ましい（しかしながら排他的ではない）実施形態を示す図によって、より明らかとされるであろう。本発明に係る実施形態は、添付された図面において、限定するものではない実施例として図示されている。
【図面の簡単な説明】
【００１９】
【図１】本発明の第一の好ましい実施形態に係る自己閉鎖装置を備える引き出しのためのガイドの右側部分、およびイジェクターの平面図を示す。
【図２】図１に示す自己閉鎖装置の側面拡大図を示す。
【図３】図１に示す装置の平面図であって、引き出し（図示せず）が閉鎖位置にある場合を示す図である。
【図４】図３に示す装置であって、僅かなスラスト力が引き出しに対して負荷され、家具部材の内部で引き出しをさらに後退させ、スライダーを第二スプリングの作動方向に逆行して移動させた後の状態を示す図である。た後の状態を示す図である。
【図５】図１に示す装置に関して、引き出し要素がスライダーから解放され、その後に、引き出しが、使用者によって把持可能となる程度に、家具部材から突出した状態を示す。
【図６】図１に示す装置に関して、使用者による外部からの動作によって、引き出し要素が移動し、自己閉鎖装置のスライダーに再度係合するステップを示す図である。
【図７】図１に示す装置に関して、引き出しがさらに開かれ、自己閉鎖装置の第一弾性手段に荷重が加えられているステップを示す図である。
【図８】図１に示す装置に関して、装置が、引き出しをピックアップし、図３に示す初期位置まで引き出しを復帰させる、引き出しの最終閉鎖部分のステップを示す。
【図９】図１に示す装置に関して、引き出し要素の側面拡大図と平面図を、それぞれ示す。
【図１０】図１〜図９に示す装置において、自己閉鎖装置にイジェクターが一体的に設けられた装置を示す図である。
【図１１】図１〜図９に示す装置において、自己閉鎖装置にイジェクターが一体的に設けられた装置を示す図である。
【図１２】図１〜図９に示す装置において、自己閉鎖装置にイジェクターが一体的に設けられた装置を示す図である。
【図１３】図１〜図９に示す装置において、自己閉鎖装置にイジェクターが一体的に設けられた装置を示す図である。
【図１４】図１〜図９に示す装置において、自己閉鎖装置にイジェクターが一体的に設けられた装置を示す図である。
【図１５】図１〜図９に示す装置において、自己閉鎖装置にイジェクターが一体的に設けられた装置を示す図である。
【図１６】本発明の第二の好ましい実施形態に係る自己閉鎖装置に関して、本発明の第一の好ましい実施形態に係る自己閉鎖装置における図３に示す操作ステップに相当する操作ステップを示す図である。
【図１７】本発明の第二の好ましい実施形態に係る自己閉鎖装置に関して、本発明の第一の好ましい実施形態に係る自己閉鎖装置における図４に示す操作ステップに相当する操作ステップを示す図である。
【図１８】本発明の第二の好ましい実施形態に係る自己閉鎖装置に関して、本発明の第一の好ましい実施形態に係る自己閉鎖装置における図５に示す操作ステップに相当する操作ステップを示す図である。
【図１９】本発明の第二の好ましい実施形態に係る自己閉鎖装置に関して、本発明の第一の好ましい実施形態に係る自己閉鎖装置における図６に示す操作ステップに相当する操作ステップを示す図である。
【図２０】本発明の第二の好ましい実施形態に係る自己閉鎖装置に関して、本発明の第一の好ましい実施形態に係る自己閉鎖装置における図７に示す操作ステップに相当する操作ステップを示す図である。
【図２１】本発明の第二の好ましい実施形態に係る自己閉鎖装置に関して、本発明の第一の好ましい実施形態に係る自己閉鎖装置における図８に示す操作ステップに相当する操作ステップを示す図である。
【図２２】図１６〜図２１に示す自己製鎖装置の支持体を示す図である。
【図２３】図１６〜図２１に示す自己製鎖装置のスライダーのみを示す図である。
【発明を実施するための形態】
【００２０】
以下に説明する本発明の異なる実施形態においては、同様の部材には同じ参照符号を付すものとする。
【００２１】
上記した図面を参照して、引き出し等の家具部材や、家具の一部の可動部に用いられる、本発明に係る自己閉鎖装置が、参照符号１として全体的に示されている。
【００２２】
自己閉鎖装置１は、家具部材に設けられた固定部８に連結され、ガイド４に沿って移動可能なスライダー３を支持するための支持体２を備えている。スライダー３は、第一弾性手段、具体的には第一バネ５によって、ガイド４の後方位置と前方位置との間を往復動可能となっている。
【００２３】
特に、ガイド４は、溝状に形成されている。
【００２４】
スライダー３は、引き出しまたはそれに類する部材に連結された取り出し可能部７に一体的に設けられた引き出し要素６によって作動される。
【００２５】
しかしながら、自己閉鎖装置１を取り出し可能部７に連結し、引き出し要素６を固定部８に設けることも、同様に可能である。
【００２６】
ガイド４は、スライダー３の後方位置に相当する領域において、スライダー３を移動させる第一移動手段を有する。第一移動手段は、スライダー３が引き出し要素６に設けられた引き出し手段と係合している間、当該スライダー３の第一ガイド手段に係合するように適応されている。
【００２７】
ストップ要素９がさらに設けられており、第一移動手段において第一ガイド手段と係合する前に、スライダー３と直接的または間接的に対向している。
【００２８】
ストップ要素９は、外部から加えられた力の動作に超越される。
【００２９】
より具体的には、引き出し手段は、互いに離隔した第一ピン２８および第二ピン２９を含む。第一ピン２８および第二ピン２９は、スライダー３と代替的に係合するように異なる長さを有している。なお、この詳細については、後述する。
【００３０】
第一移動手段は、ガイド４に設けられた中間側方キャビティー１０および後方カーブ１１を含む。
【００３１】
スライダー３の第一ガイド手段は、第三ピン１２および第四ピン１３を有する。第三ピン１２および第四ピン１３は、ガイド４またはガイド４に設けられた中間側方キャビティー１０および後方カーブ１１に係合する。なお、ガイド４には、前方カーブ１４がさらに設けられている。
【００３２】
上記したように、第一弾性手段は、第一バネ５を有する。
【００３３】
以下に、図１〜図１５を参照して、本発明に係る第一の実施形態について説明する。
【００３４】
ストップ要素９は、弾性的な柔軟性を有し、第二バネ１６を含む。
【００３５】
好ましくは、第一バネ５は、第二バネ１６よりも弱い弾性力を有している。これにより、スライダー３が自由に摺動可能な状態であるとき、弾性のストップ要素９は、引き出し（またはこれに類する部材）の閉鎖位置に相当する位置にスライダー３をストップさせておくことが可能である。
【００３６】
次に、図１６〜図２３を参照して、本発明に係る第二の実施形態について説明する。
【００３７】
ストップ要素９は、機械的構造であり、支持体２に設けられた段差面３０を含む。段差面３０は、スライダー３の移動方向に交差するように配置され、自身に対応する壁面３１と対向するように設けられている。スライダー３を往復動させずに面３０と面３１とを互いに接触させるような支持が、互いに同じ面で接触している面３０および面３１、および第一バネ５によって負荷される力によってもたらされている。
【００３８】
ここで、本発明に係る二つの好ましい実施形態を再度参照して、スライダー３は、歯部１７を有し、引き出し要素６に設けられている第一ピン２８および第二ピン２９が、後述するように代替的に係合する。
【００３９】
スライダー３には、歯部１７と突出部１８との間に配置されたキャビティー１５が、さらに設けられている。突出部１８の側面は、第二ピン２９と係合可能なカム１９の形状に形成されている。
【００４０】
自己閉鎖装置１は、第一ピン２８と第二ピン２９との間の距離に実質的に等しい突出ストロークの小領域に沿って、閉鎖位置の近辺に引き出しを移動させるのに適したトランスレーション手段に連結されてもよい。
【００４１】
特に、好ましい（しかしながら排他的ではない）実施形態においては、図１〜図１５に示すように、トランスレーション手段は、取り出し可能ガイド部７に一体的に設けられたストップ要素２１と相互作用するように適応されたイジェクター２０を有する。
【００４２】
イジェクター２０は、結果として、引き出しを上記小突出部分に沿って移動させるように適応されているが、その力は、第一バネ５による力よりも弱くなるように設定されている。
【００４３】
図示されていない実施形態のバージョンにおいて、トランスレーション手段は、引き出しの固定および／またはスライド可能なガイドの適した傾斜によって構成されてもよい。スライド可能なガイドは、傾斜面に沿って、重力によりスライド可能となっている。
【００４４】
さらに他の実施形態のバージョンにおいて、トランスレーション手段は、図示はされていないが、引き出しのスライド移動を可能とする反発力を発生させるように適応された磁石を含む。そして、他の実施例のように、好ましくは、使用者によって把持されることとなる。
【００４５】
好ましくは、トランスレーション手段には、これらによって負荷される力を調整するための公知の手段に係る装置が、設けられている。
【００４６】
本発明に係る自己閉鎖装置１の動作は、本説明および図面により示されている事項から、明確に示される。そして、特に、図１〜図１５に示されている第一の好ましい実施形態を参照して、明確に示される。以下に実質的に説明する。
【００４７】
図３は、引き出しが閉鎖されている場合における装置の状態を示す。
【００４８】
第一ストップ要素２１は、後退位置にあるイジェクター２０上に配置されている。なぜならば、イジェクター２０の力は、第一バネ５の力よりも小さいためである。その一方で、これによりスライダー３は、ガイド４内における第一の静止位置に保持され、弾性的な柔軟性を有するストップ要素９に当接している。ストップ要素９は、第二バネ１６を有しており、このとき第二バネ１６は、圧縮されていない。しかしながら、ストップ要素９をその位置に保持するために、事前に負荷を掛けられている。
【００４９】
この位置において、スライダー３は、引き出し要素６の第一ピン２８を歯部１７によって保持している。引き出し要素６は、上記したように、取り出し可能部７に一体的に設けられている。
【００５０】
図４は、使用者が引き出しを開けようとしているステップを示す。
【００５１】
使用者は、家具部材の内部において部分的な後退移動を引き起こすように、引き出しに力を負荷する。
【００５２】
そうすると、第一ストップ要素２１が、イジェクター２０のヘッドを部分的に後退させ、それと同時に、スライダー３が、柔軟なストップ要素９の第二バネ１６に逆らって、引き出し要素６の第一ピン２８によって後退させられる。この後退の間、第三ピン１２および第四ピン１３は、第一バネ５によって、ガイド４に設けられた中間側方キャビティー１０および後方カーブ１１に係合する。
【００５３】
このステップにおいて、スライダー３は、ガイド４のスライド軸に対して直交するように移動し、同時に第一ピン２８を歯部１７から解放する。使用者が引き出しに対する力の負荷を解除すると、イジェクター２０は、引き出しを、図５に示すように第二ピン２９がスライダー３の突出部１８と係合するまで、所定の距離だけ外方へ向けて押すことが可能となる。
【００５４】
この引き出し開放ステップの間、イジェクター２０によって力を負荷されている第二ピン２９の影響によって、突出部１８は、カム１９を介して、スライダー３をガイド４内部に復帰させる。そして、ストップ要素９のバネ１６は、図６に示す位置まで突出部１８を押し、第二ピン２９が、歯部１７と係合する。
【００５５】
このステップにおいて、引き出しは、実質的に第二ピン２９から第一ピン２８までの距離に等しい距離だけ、家具部材から引き出されることとなる。
【００５６】
使用者に把持された後、使用者によって、引き出しが完全に開放される。
【００５７】
使用者が引き出しを引き出すことによって、結果的に、ガイド４内において、スライダー３を、第三ピン１２がガイド４の前方カーブ１４に係合するまで、第一バネ５に逆らって移動させる。スライダー３は、この位置に保持され、第一バネ５には、負荷が掛けられた状態となる。
【００５８】
図７に示すスライダー３の部分的な回動によって、第二ピン２９が歯部１７から解放される。これにより、引き出しが使用者の要求に従って、開放自在な状態となる。
【００５９】
図８は、引き出しの最後の閉鎖部分のステップを示す。ここで、スライダー３より短い第二ピン２９が、スライダー３を超えて移動する一方、より長い第一ピン２８は、キャビティー１５と係合し、これと同時に第三ピン１２を前方カーブ１４から解放する。
【００６０】
スライダー３がガイド４内に配置されることにより、第一ピン２８と歯部１７とが係合する。
【００６１】
このようにして、スライダー３は、イジェクター２０よりも大きな弾性力を発揮する第一バネ５の作用によって、閉鎖位置にまで復帰することができる。これにより、図３に相当する閉鎖位置まで、引き出しの閉鎖が、制御された方法でガイドされる。そして、スライダー３は、ストップ要素９に接するように配置される。
【００６２】
全てのシステムを簡単な構成とする必要がある場合は、イジェクター２０は、ストップ要素９の後方において、支持体上に設置されてもよい。
【００６３】
この場合、引き出し要素６は、より短い第二ピン２９が設けられている側の端部に、第一ストップ要素２１を有していてもよい。図１０〜図１５に示すように、第一ストップ要素２１は、イジェクター２０と係合するように適応される。
【００６４】
以下に述べる最後の実施形態において、動作シーケンスは、上記のものと同様である。
【００６５】
次に、図１６〜図２３に示す自己閉鎖装置１の動作について説明する。
【００６６】
このストップ要素９は、機械的構造のタイプのものであって、本発明に係る第一の好ましい実施形態と比較すると、第二バネ１６が削除されて設けられていない。
【００６７】
第二バネ１６の削除によって、他のバネによって行使される力、具体的には第一バネ５およびイジェクター２０に設けられたバネによって行使される力のバランスを、より単純化することができる。これら第一バネ５およびイジェクター２０のバネは、引き出しの寸法や収納物に依存する引き出しの重量バリエーションを考慮して、適宜選択されている。
【００６８】
使用者によって、引き出しに外部から力が負荷されることによって、取り出し可能ガイド部に設けられた第一ピン２８が、スライダー３に設けられた傾斜面３２に押し当てられる。この傾斜面３２によって、スライダー３が、支持体２のクロス段差面３０に沿って側方に移動し、スライドガイド４の側方に適宜設けられたキャビティー１０，１１内に入り込む。これにより、第一ピン２８をスライダー３に係止していたシート状のキャビティー１５から、第一ピン２８が、解放される。こうして、引き出しが、イジェクター２０によって押し開けられることとなる。なお、図１６〜図２３においては、イジェクター２０を図示していない。なぜならば、イジェクター２０は、いずれの部分に配置されてもよく、特に、イジェクター２０は、減速装置と同様の復帰用バネから構成されてもよい。復帰用バネは、第一バネ５よりも強い弾性力を有しており、第一バネ５によって圧縮されない。
【００６９】
修正やバリエーションが、上記した形態のものに加えて、当然のことながら可能である。したがって、イジェクターの代わりに、傾斜したガイドや、マグネット、またはその他引き出しを移動させるのに適したシステムを設けてもよい。
【００７０】
実際上は、本発明に係る装置は、単純且つ制御された方法で引き出しを開閉することを可能とすることに関して、特に有利であることが明らかとなっている。すなわち、使用者が引き出しを掴むことを補助し、引き出しがガイドされて閉鎖することを提供する。
【００７１】
このように想到された成果に対して、本発明の概念の範囲に含まれる全てにおいて、いくつかの変更およびバリエーションを加えることが可能である。さらに、全ての細部に係る構成を、技術的に同等である他の要素と置換させることも可能である。
【００７２】
実際上は、使用される材料および寸法は、要求および技術状況に応じて、いずれであってもよい。
【符号の説明】
【００７３】
１  自己閉鎖装置、２  支持体、３  スライダー、４  ガイド、５，１６  バネ、６  引き出し要素、７  取り出し可能部、８  固定部、９，２１  ストップ要素、１０，１５  キャビティー、１１  後方カーブ、１２，１３，２８，２９  ピン、１４  前方カーブ、１７  歯部、１８  突出部、１９  カム、２０  イジェクター、３０，３１，３２  面。
【図１】
0005816089.tif 000002
【図２】
0005816089.tif 000003
【図３】
0005816089.tif 000004
【図４】
0005816089.tif 000005
【図５】
0005816089.tif 000006
【図６】
0005816089.tif 000007
【図７】
0005816089.tif 000008
【図８】
0005816089.tif 000009
【図９】
0005816089.tif 000010
【図１０】
0005816089.tif 000011
【図１１】
0005816089.tif 000012
【図１２】
0005816089.tif 000013
【図１３】
0005816089.tif 000014
【図１４】
0005816089.tif 000015
【図１５】
0005816089.tif 000016
【図１６】
0005816089.tif 000017
【図１７】
0005816089.tif 000018
【図１８】
0005816089.tif 000019
【図１９】
0005816089.tif 000020
【図２０】
0005816089.tif 000021
【図２１】
0005816089.tif 000022
【図２２】
0005816089.tif 000023
【図２３】
0005816089.tif 000024